(57)【要約】【課題】ボール等の侵入物が集水口を塞ぐことを阻止すると共に、その侵入物の除去作業も簡単且つ安全にできる樋継手を提供する。【解決手段】流入口１１と流出口１２を備えたエルボ状の樋継手本体１の前記流入口１１が、集水体２の集水口２１に連結され、前記流出口１２が竪樋３の端部に内嵌する樋嵌合筒部１３を備えた樋継手において、樋継手本体１の曲部１４近傍に、開口部１５を形成すると共に、この開口部１５を封止可能な蓋体４が着脱自在に取り付けられ、且つ、蓋体４内面には、流入口１１端を越えて集水体２の内方にまで突出される棒状の異物侵入阻止部材５を設ける。【選択図】図１
2006132167.tif 000002
【特許請求の範囲】
【請求項１】
流入口と流出口を備えたエルボ状の樋継手本体の前記流入口が、集水体の集水口に連結され、前記流出口が竪樋の端部に内嵌する樋嵌合筒部を備えた樋継手において、
樋継手本体の曲部近傍に、開口部を形成すると共に、この開口部を封止可能な蓋体が着脱自在に取り付けられ、且つ、蓋体内面には、流入口端を越えて集水体の内方にまで突出される棒状の異物侵入阻止部材を設けたことを特徴とする樋継手。
【発明の詳細な説明】
【技術分野】
【０００１】
本発明は、例えば、流入口と流出口を備えたエルボ状の樋継手本体の前記流入口を集水器等の集水体に連結し、前記流出口を竪樋の端部に内嵌させて連結し、前記集水体に集水した雨水等を前記竪樋に排水するための樋継手に関する。
【背景技術】
【０００２】
従来の樋継手は、雨樋の下流端に設置された集水器の集水口に、流入口と流出口を備えたエルボ状の樋継手本体の前記流入口を連結すると共に、前記流出口には、竪樋の上端部に内嵌する樋嵌合筒部を備えてなり、この樋嵌合筒部を竪樋の上端部に内嵌させて、集水器と竪樋を連通させ、集水器に集水された雨水等が、樋継手を介して竪樋を通じて排水される構造にしている（例えば、特許文献１参照。）。
【特許文献１】特開平８−１０９７１４号
【発明の開示】
【発明が解決しようとする課題】
【０００３】
ところで、前記集水器は、一般に、上方が開放された箱状に形成され、その底壁に集水口が形成された構造になっている。
【０００４】
そのため、前記集水器の上方から、例えば、ボール等の侵入物が侵入すると、前記侵入物が集水器の集水口を塞いでしまい、雨水等を竪樋を通じて排水できないばかりでなく、集水器に雨水等が貯水されて、やがて集水器から溢れ出てしまうという問題があった。
【０００５】
そこで、集水器の開放端に金網等を設けて、ボール等の侵入を防止することも考えられたが、このような金網等では、ボール等の侵入物を阻止できる反面、例えば、落葉等が付着滞積して、その網目が塞がれてしまい、雨水が円滑に排水できなくなるため採用できない。
【０００６】
また、ボール等の侵入物が侵入した後、これを除去する場合には、高所に設置された集水器の更に上方から手を差し入れて、前記ボール等を除去しなければならず、除去作業が困難なうえ、危険を伴うという問題もあった。
【０００７】
本発明は、かかる課題を解決することを目的としたものであり、集水器等の集水体に侵入される侵入物のうち、ボール等の侵入物の侵入を阻止し、侵入後の侵入物の除去作業も容易にできる樋継手を提供する。
【課題を解決するための手段】
【０００８】
上記目的を達成するため、
請求項１に係る樋継手は、流入口と流出口を備えたエルボ状の樋継手本体の前記流入口が、集水体の集水口に連結され、前記流出口が竪樋の端部に内嵌する樋嵌合筒部を備えた樋継手において、樋継手本体の曲部近傍に、開口部を形成すると共に、この開口部を封止可能な蓋体が着脱自在に取り付けられ、且つ、蓋体内面には、流入口端を越えて集水体の内方にまで突出される棒状の異物侵入阻止部材を設けたことを特徴とする。
【発明の効果】
【０００９】
本発明によれば、次のような効果がある。
請求項１に係る樋継手によれば、流入口と流出口を備えたエルボ状の樋継手本体の角部近傍に形成された開口部に、着脱自在な蓋体を設け、この蓋体に流入口の一端より集水体の内方にまで突出される棒状の異物侵入阻止部材を設けた新規な構造である。
【００１０】
そのため、ボール等の侵入物が、集水器等の集水体に侵入しても、異物侵入阻止部材の上端が侵入物を阻止して、侵入物が集水口を塞ぐことを阻止できる。
【００１１】
また、異物侵入阻止部材を設けた蓋体は、エルボ状の樋継手本体の角部近傍に着脱自在に設置している。
【００１２】
そのため、ボール等の侵入物が集水体に侵入した後、これを除去する場合には、例えば、前記蓋体を離脱させて異物侵入阻止部材の上端を、集水口の近傍まで引き下げたうえで、蓋体を上方に向けて叩けば、その衝撃によって、異物侵入阻止部材の上端が、侵入物を下方から叩き上げ、ボール等の侵入物を集水体の上方から排出できるので、侵入物の除去作業を容易にできる。
【００１３】
また、樋継手本体の角部下方において侵入物の除去作業を可能にしたので、高所に設置された集水体の更に上方から手を差し入れる必要がなく、その除去作業も安全である。
【発明を実施するための最良の形態】
【００１４】
以下、本発明に係る樋継手Ａを図面とともに説明する。
【実施例１】
【００１５】
図１は、本発明に係る樋継手Ａの一実施例を示す使用状態図、図２は、図１で示した樋継手Ａの概略断面図である。
【００１６】
この樋継手Ａは、流入口１１と流出口１２を備えたエルボ状の樋継手本体１の流入口（雨水等の上流側口、以下同様。）１１が、集水体２の集水口２１に連結され、流出口（雨水等の下流側口、以下同様。）１２が、竪樋３の上端部３１に内嵌する樋嵌合筒部１３を備えており、樋継手本体１の曲部１４近傍に開口部１５を形成すると共に、この開口部１５を封止可能な蓋体４が着脱自在に取り付けられ、且つ、蓋体４内面には、流入口１１端を越えて集水体２の内方にまで突出される棒状の異物侵入阻止部材５を設けてなる。
【００１７】
以下、各部材について詳説する。
【００１８】
集水体２は、上方が開放された箱状に形成されており、その一側壁には従来同様、雨樋Ｔの下流端が連通され、また、中央には、貫通された集水口２１が形成されている。
【００１９】
ここで、集水体２とは、本実施例で例示した集水器に限定されるものではなく、例えば、受け升、ドレン、チーズ等の集水器具の総称を意味している。なお、集水体２の形状も丸型、角型などに限定されるものではない。
【００２０】
樋継手本体１の流入口１１は、集水体２の集水口２１に外嵌するように従来同様の構造で連結している。
【００２１】
樋継手本体１の流出口１２には、竪樋３の上端部に内嵌する樋嵌合筒部１３が形成されており、この樋嵌合筒部１３を竪樋３の上端部に内嵌して、集水口２１が樋継手Ａを介して竪樋３に連通している。
【００２２】
樋継手本体１は、その流入口１１を鉛直方向に立設すると共に、流出口１２は、水平よりも僅かに下方に傾斜された方向に延設された断面略Ｌ型或いは略Ｔ型に形成している。
【００２３】
樋継手本体１の流入口１１の直下に位置される曲部１４には、開口部１５を開設している。
【００２４】
この開口部１５は、これを封止可能な蓋体４が着脱自在に取り付けられる構造にしており、本実施例では、開口部１５の外面に、下端から上方に向けて延設され、その上端を円周方向に延設させた溝部１６を形成している。
【００２５】
一方、蓋体４は、上方にのみ開放された開口部１５と略同口径の有底環状体であって、その開放端４１の内面に、開口部１５の溝部１６に嵌合される突起部２２を設け、この突起部２２を溝部１６に向けて下方から嵌合すると共に、更に、蓋体１５を周方向に回転すれば、蓋体４が開口部１５を封止して固定される構造にしている。
【００２６】
また、図示しないが、開口部１５の外面にネジ溝を形成すると共に、蓋体４の内面に前記ネジ溝に螺合するネジ山を形成した構造のものでも良く、要するに、開口部１５を蓋体４によって封止可能であると共に、この蓋体４が開口部１５に着脱自在に取り付けられる構造のものであれば構わない。
【００２７】
この蓋体４内面の中央には、棒状の異物侵入阻止部材５が鉛直方向に向けて立設されている。ここでの異物侵入阻止部材５は、蓋体４の底壁中央に固着したものを例示しているが、この異物侵入阻止部材５を蓋体４と着脱可能に形成しても構わない。
【００２８】
上記の如く構成した本発明の樋継手Ａの使用要領を図１、２に基づき説明する。
【００２９】
先ず、樋継手Ａの樋継手本体１の流入口１１を集水体２の集水口２１に連結し、樋継手本体１の流出口１２を竪樋３の上端部に連結させて固定する。
【００３０】
そして、樋継手本体１の開口部１５に向けて、異物侵入阻止部材５を貫通させながら、蓋体４を取り付けて、開口部１５を封止して固定するだけで簡単に設置できる。
【００３１】
この設置完了後、集水体２の上方からボール等の侵入物Ｂが侵入しようとしても、図２に示すように、異物侵入阻止部材５が邪魔して、これを集水体２の内部に侵入することを阻止し、侵入物Ｂが集水口３１を塞いで、雨水詰まりが生じることを防止できる。
【００３２】
また、異物侵入阻止部材５で阻止されたボール等の侵入物Ｂを除去するには、蓋体４を開口部１５から上述とは逆の要領で離脱させ、異物侵入阻止部材５の上端を、集水口２１の近傍まで引き下げたうえで、例えば、この蓋体４を持って上方にポンと突き上げるようにして叩けば、その衝撃によって、異物侵入阻止部材５の上端が、ボール等の侵入物Ｂを上方に突き上げ、侵入物Ｂは、集水体２の上方から排出されるので、侵入物Ｂの除去作業を容易且つ安全にできる。
【産業上の利用可能性】
【００３３】
本発明は、ボール等の侵入物が集水口を塞ぐことを阻止すると共に、落葉等のゴミは、雨水等と一緒に竪樋に排出され、しかも、その設置作業も容易にできる樋継手として有効に利用することが可能である。
【図面の簡単な説明】
【００３４】
【図１】本発明に係る樋継手Ａの一実施例を示す使用状態図である。
【図２】図１で示した樋継手Ａの概略断面図である。
【符号の説明】
【００３５】
Ａ      樋継手
Ｔ      雨樋
１      樋継手本体
１１    流入口（雨水等の上流側口）
１２    流出口（雨水等の下流側口）
１３    樋嵌合筒部
１４    曲部
１５    開口部
２      集水体
２１    集水口
３      竪樋
４      蓋体
５      異物侵入阻止部材
【図１】
2006132167.tif 000003
【図２】
2006132167.tif 000004